(57)【特許請求の範囲】
【請求項１】
第１筐体部と、
第２筐体部と、
前記第１筐体部と前記第２筐体部との間の位置関係を変えられるように前記第１筐体部と前記第２筐体部とを連結する連結部と、
前記第１筐体部または前記第２筐体部に搭載された外部無線通信用アンテナと、
前記第１筐体部に搭載され、前記外部無線通信用アンテナを介して行われる外部無線通信を制御する外部無線通信制御部と、
前記第２筐体部に搭載された表示部と、
前記第１筐体部に搭載された第１の内部無線通信用アンテナと、
前記第２筐体部に搭載された第２の内部無線通信用アンテナと、
前記第１筐体部に搭載され、前記第１の内部無線通信用アンテナを介して行われる内部無線通信を制御する第１の内部無線通信制御部と、
前記第２筐体部に搭載され、前記第２の内部無線通信用アンテナを介して行われる内部無線通信を制御する第２の内部無線通信制御部と、
前記外部無線通信用アンテナを介して送信される電波の送信タイミングに基づいて、前記表示部に表示される表示データの更新タイミングを前記表示データの１フレーム分毎に制御する表示更新タイミング制御部と、を備えることを特徴とする無線通信端末。
【請求項２】
第１筐体部と、
第２筐体部と、
前記第１筐体部と前記第２筐体部との間の位置関係を変えられるように前記第１筐体部と前記第２筐体部とを連結する連結部と、
前記第１筐体部または前記第２筐体部に搭載された外部無線通信用アンテナと、
前記外部無線通信用アンテナを介して送受信される信号の変復調処理を行う無線部と、
前記無線部とやり取りされる信号のベースバンド信号処理を行うベースバンド信号処理部と、
前記第１筐体部に搭載され、前記外部無線通信用アンテナを介して行われる外部無線通
信を制御する外部無線通信制御部と、
前記第２筐体部に搭載された表示部と、
前記第１筐体部に搭載され、前記表示部に表示される表示データの表示タイミングを制御する表示制御部と、
前記第１筐体部に搭載された第１の内部無線通信用アンテナと、
前記第２筐体部に搭載された第２の内部無線通信用アンテナと、
前記第１筐体部に搭載され、前記第１の内部無線通信用アンテナを介して行われる内部無線通信を制御する第１の内部無線通信制御部と、
前記第２筐体部に搭載され、前記第２の内部無線通信用アンテナを介して行われる内部無線通信を制御する第２の内部無線通信制御部と、
前記外部無線通信による送信または受信が行われている場合、前記表示制御部で制御される前記表示データの１フレーム分の表示タイミングに従って、前記表示部に表示される１フレーム分の前記表示データの送信を停止させる送受信制御部と、を備えることを特徴とする無線通信端末。
【請求項３】
前記送受信制御部は、前記外部無線通信制御部から送られるキャリア検出信号に基づいて、前記外部無線通信による送信または受信状態を判定することを特徴とする請求項２に記載の無線通信端末。
【請求項４】
前記送受信制御部は、前記外部無線通信の送受信タイミングに基づいて決定されたタイムスケジュールに基づいて、前記外部無線通信による送信または受信状態を判定することを特徴とする請求項２に記載の無線通信端末。
【請求項５】
前記無線部の出力レベルを検出するキャリア検出部をさらに備え、
前記送受信制御部は、前記キャリア検出部にて検出された出力レベルに基づいて、前記外部無線通信による送信状態を判定することを特徴とする請求項２に記載の無線通信端末。
【請求項６】
前記第１筐体部に搭載され、前記外部無線通信用アンテナから送出される電波を受信するキャリア検出用アンテナと、
前記キャリア検出用アンテナにて受信された電波の出力レベルを検出するキャリア検出部とをさらに備え、
前記送受信制御部は、前記キャリア検出部にて検出された出力レベルに基づいて、前記外部無線通信による送信状態を判定することを特徴とする請求項２に記載の無線通信端末。
【請求項７】
前記無線通信端末は携帯電話であることを特徴とする請求項１から６のいずれか１項記載の無線通信端末。
【請求項８】
前記内部無線通信は、微弱無線またはＵＷＢ無線の近距離無線であることを特徴とする請求項１から７のいずれか１項記載の無線通信端末。
【請求項９】
前記外部無線通信による送信または受信が行われている時に、前記表示部に表示されるデータの一部を内部有線通信にて前記第１筐体部から前記第２筐体部に送信する内部有線通信部をさらに備えることを特徴とする請求項１から８のいずれか１項記載の無線通信端末。
【請求項１０】
前記内部有線通信部は、前記第１筐体部と前記第２筐体部との間に設けられた電源ラインを介して、前記表示部に表示されるデータの一部を送信することを特徴とする請求項９記載の無線通信端末。
【請求項１１】
前記第２筐体部に設けられ、前記表示部に表示される表示データを記憶する表示データ記憶部と、
前記外部無線通信による送信または受信が行われている時に、前記表示データ記憶部に記憶されている表示データを前記表示部に表示させる表示制御部とをさらに備えることを特徴とする請求項１から１０のいずれか１項記載の無線通信端末。
【発明の詳細な説明】
【技術分野】
【０００１】
本発明は無線通信端末および内部無線通信制御方法に関し、特に、クラムシェル型携帯電話などに適用して好適なものである。
【背景技術】
【０００２】
近年の携帯電話では、文字や図形などの静止画像の他、デジタルカメラで撮像された静止画像や動画像をより精細に表示させることができるようにするため、携帯電話に搭載される液晶表示装置の高解像度化が進んでいる。これに伴って、デジタルカメラと液晶表示装置との間でやり取りされるデータ量も増大し、ＬＶＤＳ（Ｌｏｗ  Ｖｏｌｔａｇｅ  Ｄｉｆｆｅｒｅｎｔｉａｌ  Ｓｉｇｎａｌｉｎｇ）という高速転送方式を表示体や撮像素子の接続に用いることが提案されている。
【０００３】
また、近年の携帯電話では、携帯電話の携帯性を損なうことなく、表示体のサイズを大きくするとともに、携帯電話を持ち歩いているときに操作ボタンが誤って操作されることを防止するため、携帯電話の折り畳みが可能なクラムシェル構造を採用することが行われている。このクラムシェル構造では、携帯電話の外部無線通信機能を主として司る制御部が搭載された第１筐体部と表示体が搭載された第２筐体部とがヒンジを介して連結され、第１筐体部と第２筐体部とはヒンジを介して互いに閉じたり開いたりすることができる。
【０００４】
また、特許文献１には、ＣＰＵから液晶コントローラへの画像データ信号の入力間隔に基づいて画像データ信号が静止画であるか動画であるかを判別する判別部をＣＰＵ内に設け、ＣＰＵの判別結果に基づいて、液晶パネルにおける単位時間当たりの画像の書き換え回数を変化させることにより、消費電力を低減させる方法が開示されている。
【０００５】
【特許文献１】特開２００３−４４０１１号公報
【発明の開示】
【発明が解決しようとする課題】
【０００６】
しかしながら、携帯電話に搭載される表示体の高解像度化が進行し、高ビットレートの画像データなどを有線で表示体に送信するためには、表示体に信号を送るためのフレキシブル配線基板を多ピン化する必要がある。このため、クラムシェル構造の携帯電話では、第１筐体部と第２筐体部との間のデータ伝送を有線で行うと、多ピン化されたフレキシブル配線基板をヒンジ内に通す必要があり、ヒンジ構造が複雑化したり、実装工程が煩雑化したりする。この結果、携帯電話の小型薄型化の障害となるだけでなく、コストアップを招くとともに、信頼性の劣化を引き起こすという問題があった。
【０００７】
一方、フレキシブル配線基板の代わりに、内部無線通信用アンテナを第１筐体部と第２筐体部に設け、第１筐体部と第２筐体部との間のデータ伝送を内部無線通信で行うと、携帯電話の外部無線通信との間で干渉が発生する。このため、携帯電話の外部無線通信の状況によって内部無線通信の環境が変化し、データを確実に伝送する上での信頼性が劣化するという問題があった。
【０００８】
特に、ＵＷＢ（Ｕｌｔｒａ  Ｗｉｄｅ  Ｂａｎｄ）などの出力が低く制限された無線通信方式を内部無線通信に採用した場合、携帯電話の外部無線通信にて出力される電波との電力レベル差が大きくなり、これらの間の電力レベル差が９０ｄＢにも及ぶことがある。このため、目標とする帯域外の信号であっても内部無線通信に及ぶ影響を無視できなくなり、携帯電話の外部無線通信との干渉に起因して無線通信環境が劣化し、ビットエラーレートが劣化したり、パケットエラーレートの劣化による再送の増加を招いたりするという問題があった。
【０００９】
また、特許文献１に開示された方法では、画像データの種類に基づいて、液晶パネルにおける単位時間当たりの画像の書き換え回数を変化させるため、内部無線通信と外部無線通信との間の干渉を低減させることができないという問題があった。
そこで、本発明の目的は、外部無線通信による通信環境の変化を許容しつつ、第１筐体部と第２筐体部との間の内部無線通信の品質の劣化を抑制することが可能な無線通信端末および内部無線通信制御方法を提供することである。
【課題を解決するための手段】
【００１０】
上述した課題を解決するために、本発明の一態様に係る無線通信端末によれば、第１筐体部と、前記第１筐体部に連結された第２筐体部と、前記第１筐体部と前記第２筐体部との間の位置関係を変えられるように前記第１筐体部と前記第２筐体部とを連結する連結部と、前記第１筐体部または前記第２筐体部に搭載された外部無線通信用アンテナと、前記第１筐体部に搭載され、前記外部無線通信用アンテナを介して行われる外部無線通信の制御を主として司る外部無線通信制御部と、前記第２筐体部に搭載された表示部と、前記第１筐体部に搭載された第１の内部無線通信用アンテナと、前記第２筐体部に搭載された第２の内部無線通信用アンテナと、前記第１筐体部に搭載され、前記第１の内部無線通信用アンテナを介して行われる内部無線通信の制御を司る第１の内部無線通信制御部と、前記第２筐体部に搭載され、前記第２の内部無線通信用アンテナを介して行われる内部無線通信の制御を司る第２の内部無線通信制御部と、前記外部無線通信用アンテナを介して送信される電波の送信タイミングに基づいて、前記表示部に表示される表示データの更新タイミングを制御する表示更新タイミング制御部とを備えることを特徴とする。
【００１１】
これにより、外部無線通信用アンテナを介して電波が送信されていない時に、第１筐体部と第２筐体部との間での表示データのやり取りを無線で行うことが可能となる。このため、外部無線通信による通信環境の変化を許容しつつ、第１筐体部と第２筐体部との間で伝送される表示データの品質の劣化を抑制することが可能となるとともに、第１筐体部と第２筐体部との間でのデータ伝送量が増大した場合においても、連結部の構成を複雑化させることなく、第１筐体部と第２筐体部との間の位置関係を変化させることが可能となる。この結果、コストアップを抑制しつつ、無線通信端末の小型薄型化および高信頼性化を図ることが可能となるとともに、無線通信端末の携帯性を損なうことなく、無線通信端末の大画面化および多機能化を図ることができる。
【００１２】
また、本発明の一態様に係る無線通信端末によれば、第１筐体部と、前記第１筐体部に連結された第２筐体部と、前記第１筐体部と前記第２筐体部との間の位置関係を変えられるように前記第１筐体部と前記第２筐体部とを連結する連結部と、前記第１筐体部または前記第２筐体部に搭載された外部無線通信用アンテナと、前記外部無線通信用アンテナを介して送受信される信号の変復調処理を行う無線部と、前記無線部とやり取りされる信号のベースバンド信号処理を行うベースバンド信号処理部と、前記第１筐体部に搭載され、前記外部無線通信用アンテナを介して行われる外部無線通信の制御を主として司る外部無線通信制御部と、前記第２筐体部に搭載された表示部と、前記第１筐体部に搭載され、前記表示部に表示される表示データの表示タイミングを制御する表示制御部と、前記第１筐体部に搭載された第１の内部無線通信用アンテナと、前記第２筐体部に搭載された第２の内部無線通信用アンテナと、前記第１筐体部に搭載され、前記第１の内部無線通信用アンテナを介して行われる内部無線通信の制御を司る第１の内部無線通信制御部と、前記第２筐体部に搭載され、前記第２の内部無線通信用アンテナを介して行われる内部無線通信の制御を司る第２の内部無線通信制御部と、前記外部無線通信による送信または受信が行われている場合、前記表示制御部で制御される表示タイミングに従って、前記表示部に表示される表示データの送信を停止させる送受信制御部とを備えることを特徴とする。
【００１３】
これにより、表示制御部における制御状態に基づいて、外部無線通信用アンテナから電波が送信されているかどうかを判断することが可能となる。このため、回路構成の複雑化および大規模化を抑制しつつ、外部無線通信が行われていない時に、第１筐体部と第２筐体部との間での表示データの伝送を行わせることが可能となり、コストアップを抑制しつつ、無線通信端末の小型薄型化および高信頼性化を図ることが可能となるとともに、無線通信端末の携帯性を損なうことなく、無線通信端末の大画面化および多機能化を図ることができる。
【００１４】
また、本発明の一態様に係る無線通信端末によれば、第１筐体部と、前記第１筐体部に連結された第２筐体部と、前記第１筐体部と前記第２筐体部との間の位置関係を変えられるように前記第１筐体部と前記第２筐体部とを連結する連結部と、前記第１筐体部または前記第２筐体部に搭載された外部無線通信用アンテナと、前記外部無線通信用アンテナを介して送受信される信号の変復調処理を行う無線部と、前記無線部とやり取りされる信号のベースバンド信号処理を行うベースバンド信号処理部と、前記第１筐体部に搭載され、前記外部無線通信用アンテナを介して行われる外部無線通信の制御を主として司る外部無線通信制御部と、前記第２筐体部に搭載された表示部と、前記第２筐体部に搭載され、前記表示部に表示される表示データの表示タイミングを制御する表示制御部と、前記第１筐体部に搭載された第１の内部無線通信用アンテナと、前記第２筐体部に搭載された第２の内部無線通信用アンテナと、前記第１筐体部に搭載され、前記第１の内部無線通信用アンテナを介して行われる内部無線通信の制御を司る第１の内部無線通信制御部と、前記第２筐体部に搭載され、前記第２の内部無線通信用アンテナを介して行われる内部無線通信の制御を司る第２の内部無線通信制御部と、前記外部無線通信による送信または受信が行われている場合、前記第１の内部無線通信制御部、前記第２の内部無線通信制御部または前記表示制御部のいずれか少なくともひとつの動作を有線にて停止させる送受信制御部とを備えることを特徴とする。
【００１５】
これにより、外部無線通信用アンテナを介して電波が送信されていない時に、第１筐体部と第２筐体部との間での表示データのやり取りを無線で行うことが可能となるとともに、表示データの表示タイミングを制御する表示制御部を第２筐体部側に配置することができる。このため、第１筐体部と第２筐体部との間での表示データのやり取りが中断された場合においても、表示部に表示されている画像をそのまま維持することが可能となり、表示部に表示されている画像が乱れることを防止することが可能となる。
【００１６】
また、本発明の一態様に係る無線通信端末によれば、第１筐体部と、前記第１筐体部に連結された第２筐体部と、前記第１筐体部と前記第２筐体部との間の位置関係を変えられるように前記第１筐体部と前記第２筐体部とを連結する連結部と、前記第１筐体部または前記第２筐体部に搭載された外部無線通信用アンテナと、前記外部無線通信用アンテナを介して送受信される信号の変復調処理を行う無線部と、前記無線部とやり取りされる信号のベースバンド信号処理を行うベースバンド信号処理部と、前記第１筐体部に搭載され、前記外部無線通信用アンテナを介して行われる外部無線通信の制御を主として司る外部無線通信制御部と、前記第２筐体部に搭載された表示部と、前記第２筐体部に搭載され、前記表示部に表示される表示データの表示タイミングを制御する表示制御部と、前記第１筐体部に搭載された第１の内部無線通信用アンテナと、前記第２筐体部に搭載された第２の内部無線通信用アンテナと、前記第１筐体部に搭載され、前記第１の内部無線通信用アンテナを介して行われる内部無線通信の制御を司る第１の内部無線通信制御部と、前記第２筐体部に搭載され、前記第２の内部無線通信用アンテナを介して行われる内部無線通信の制御を司る第２の内部無線通信制御部と、前記外部無線通信による送信または受信が行われている場合、前記第１の内部無線通信制御部の動作を停止させる送受信制御部と、前記第２の内部無線通信制御部によるデータの受信状態に基づいて、前記第２の内部無線通信制御部の動作を停止させる受信制御部とを備えることを特徴とする。
【００１７】
これにより、外部無線通信用アンテナを介して電波が送信されていない時に、第１筐体部と第２筐体部との間での表示データのやり取りを無線で行うことが可能となる。また、表示データの表示タイミングを制御する表示制御部を第２筐体部側に配置することが可能となるとともに、有線を利用することなく、外部無線通信用アンテナから電波が送信されているかどうかを第２筐体部側で判断することができる。
【００１８】
このため、第１筐体部と第２筐体部との間でデータのやり取りを有線で行うことなく、外部無線通信用アンテナから電波が送信されている時に、第１および第２の内部無線通信制御部の双方の動作を停止させることが可能となる。この結果、連結部の構成を複雑化させることなく、第１筐体部と第２筐体部との間で伝送される表示データの品質の劣化を抑制することが可能となるとともに、消費電力を低減させることができる。また、第１筐体部と第２筐体部との間での表示データのやり取りが中断された場合においても、表示部に表示されている画像をそのまま維持することが可能となり、表示部に表示されている画像が乱れることを防止することが可能となる。
【００１９】
また、本発明の一態様に係る無線通信端末によれば、前記送受信制御部は、前記外部無線通信制御部から送られるキャリア検出信号に基づいて、前記外部無線通信による送信または受信状態を判定することを特徴とする。
これにより、外部無線通信制御部からキャリア検出信号を受け取ることで、外部無線通信用アンテナを介して電波が送信されているかどうかを判断することが可能となる。このため、回路構成の複雑化および大規模化を抑制しつつ、外部無線通信が行われていない時に、第１筐体部と第２筐体部との間で表示データのやり取りを行わせることが可能となる。
【００２０】
また、本発明の一態様に係る無線通信端末によれば、前記送受信制御部は、前記外部無線通信の送受信タイミングに基づいて決定されたタイムスケジュールに基づいて、前記外部無線通信による送信または受信状態を判定することを特徴とする。
これにより、外部無線通信の空き時間に内部無線通信を行わせることが可能となり、第１筐体部と第２筐体部との間の内部無線通信の効率の劣化を抑制しつつ、第１筐体部と第２筐体部との間でやり取りされる表示データの品質の劣化を抑制することができる。
【００２１】
また、本発明の一態様に係る無線通信端末によれば、前記無線部の出力レベルを検出するキャリア検出部をさらに備え、前記送受信制御部は、前記キャリア検出部にて検出された出力レベルに基づいて、前記外部無線通信による送信状態を判定することを特徴とする。
これにより、無線部の出力レベルをモニタすることで、外部無線通信用アンテナを介して電波が送信されているかどうかを判断することが可能となる。このため、回路構成の複雑化および大規模化を抑制しつつ、外部無線通信が行われていない時に、第１筐体部と第２筐体部との間で表示データのやり取りを行わせることが可能となる。
【００２２】
また、本発明の一態様に係る無線通信端末によれば、前記第１筐体部に搭載され、前記外部無線通信用アンテナから送出される電波を受信するキャリア検出用アンテナと、前記キャリア検出用アンテナにて受信された電波の出力レベルを検出するキャリア検出部とをさらに備え、前記送受信制御部は、前記キャリア検出部にて検出された出力レベルに基づいて、前記外部無線通信による送信状態を判定することを特徴とする。
【００２３】
これにより、外部無線通信用アンテナを介して送信される電波の出力レベルを直接モニタすることが可能となり、外部無線通信用アンテナを介して電波が送信されているかどうかを判断することが可能となる。このため、外部無線通信が行われていない時に、第１筐体部と第２筐体部との間で表示データのやり取りを行わせることが可能となり、表示データの品質の劣化を抑制することができる。
【００２４】
また、本発明の一態様に係る無線通信端末によれば、前記無線通信端末は携帯電話であることを特徴とする。
これにより、携帯電話にクラムシェル構造が採用された場合においても、携帯電話の筐体間の表示データの伝送を無線で安定して行うことが可能となる。このため、携帯電話に搭載される表示部の高解像度化に対応して、筐体間でやり取りされるデータ量が増大した場合においても、連結部の構造の複雑化を抑制することが可能となるとともに、実装工程の煩雑化を防止することが可能となる。この結果、コストアップを抑制しつつ、携帯電話の小型薄型化および高信頼性化を図ることが可能となるとともに、携帯電話の携帯性を損なうことなく、携帯電話の大画面化および多機能化を図ることができる。
【００２５】
また、本発明の一態様に係る無線通信端末によれば、前記内部無線通信は、微弱無線またはＵＷＢ無線の近距離無線であることを特徴とする。
これにより、内部無線通信における出力レベルを抑制しつつ、内部無線通信を安定して行うことが可能となる。このため、第１筐体部と第２筐体部との間でのデータ伝送量が増大した場合においても、法規制の制約を受けることなく、第１筐体部と第２筐体部との間でのデータ伝送を無線で行うことが可能となり、連結部の構成を複雑化させることなく、第１筐体部と第２筐体部との間の位置関係を変化させることが可能となる。
【００２６】
また、本発明の一態様に係る無線通信端末によれば、前記外部無線通信による送信または受信が行われている時に、前記表示部に表示されるデータの一部を内部有線通信にて前記第１筐体部から前記第２筐体部に送信する内部有線通信部をさらに備えることを特徴とする。
これにより、外部無線通信による送信または受信が行われている場合においても、外部無線通信による干渉を受けることなく、表示部に表示される特定のデータを第１筐体部から第２筐体部に送信することが可能となる。このため、必要なデータを表示部に表示させることを可能としつつ、内部有線通信にて送信されるデータ量を抑制することが可能となり、第１筐体部と第２筐体部との間でやり取りされるデータ伝送量の増大に対応しつつ、連結部の構成の複雑化を抑制することができる。
【００２７】
また、本発明の一態様に係る無線通信端末によれば、前記内部有線通信部は、前記第１筐体部と前記第２筐体部との間に設けられた電源ラインを介して、前記表示部に表示されるデータの一部を送信することを特徴とする。
これにより、第１筐体部と第２筐体部との間の配線数の増大を抑制しつつ、表示部に表示されるデータの一部を内部有線通信にて第１筐体部から第２筐体部に送信することが可能となり、連結部の構成の複雑化を抑制することができる。
【００２８】
また、本発明の一態様に係る無線通信端末によれば、前記第２筐体部に設けられ、前記表示部に表示される表示データを記憶する表示データ記憶部と、前記外部無線通信による送信または受信が行われている時に、前記表示データ記憶部に記憶されている表示データを前記表示部に表示させる表示制御部とをさらに備えることを特徴とする。
これにより、第２筐体部への表示データに送信が停止した場合においても、表示データを表示部に供給することが可能となり、表示部の表示が途切れることを防止することができる。
【００２９】
また、本発明の一態様に係る内部無線通信制御方法によれば、外部無線通信機能が設けられた筐体間における表示データの伝送が内部無線通信で行われる内部無線通信制御方法において、前記筐体からの外部無線送信が停止しているタイミングで、前記筐体間の表示データの転送を行うことを特徴とする。
これにより、筐体間の内部無線通信と、筐体からの外部無線通信との間で干渉が発生することを防止することが可能となる。このため、外部無線通信による通信環境の変化を許容しつつ、筐体間でやり取りされる表示データの品質の劣化を抑制することが可能となり、筐体間の位置関係のフレキシビリティーを確保しつつ、筐体間のデータ伝送量の増大に対応することが可能となる。
【発明を実施するための最良の形態】
【００３０】
以下、本発明の実施形態に係る無線通信端末および無線通信制御方法について図面を参照しながら説明する。
図１は、本発明の無線通信制御方法が適用されるクラムシェル型携帯電話を開いたときの状態を示す斜視図、図２は、本発明の無線通信制御方法が適用されるクラムシェル型携帯電話を閉じたときの状態を示す斜視図である。
【００３１】
図１および図２において、第１筐体部１の表面には、操作ボタン４が配置されるとともに、第１筐体部１の下端にはマイク５が設けられ、第１筐体部１の上端には外部無線通信用アンテナ６が取り付けられている。また、第２筐体部２の表面には、表示体８が設けられるとともに、第２筐体部２の上端にはスピーカ９が設けられている。また、第２筐体部２の裏面には、表示体１１および撮像素子１２が設けられている。なお、表示体８、１１としては、例えば、液晶表示パネル、有機ＥＬパネルまたはプラズマディスプレイパネルなどを用いることができる。また、撮像素子１２としては、ＣＣＤまたはＣＭＯＳセンサなどを用いることができる。また、第１筐体部１および第２筐体部２には、第１筐体部１と第２筐体部２との間で内部無線通信を行う内部無線通信用アンテナ７、１０がそれぞれ設けられている。
【００３２】
そして、第１筐体部１および第２筐体部２はヒンジ３を介して連結され、ヒンジ３を支点として第２筐体部２を回転させることにより、第２筐体部２を第１筐体部１上に折り畳むことができる。そして、第２筐体部２を第１筐体部１上に閉じることにより、操作ボタン４を第２筐体部２にて保護することができ、携帯電話を持ち歩く時に操作ボタン４が誤って操作されることを防止することができる。また、第２筐体部２を第１筐体部１から開くことにより、表示体８を見ながら操作ボタン４を操作したり、スピーカ９およびマイク５を使いながら通話したり、操作ボタン４を操作しながら撮像を行ったりすることができる。
【００３３】
ここで、クラムシェル構造を用いることにより、第２筐体部２のほぼ一面全体に表示体８を配置することができ、携帯電話の携帯性を損なうことなく、表示体８のサイズを拡大させることを可能として、視認性を向上させることができる。
また、内部無線通信用アンテナ７、１０を第１筐体部１および第２筐体部２にそれぞれ設けることにより、内部無線通信用アンテナ７、１０を用いた内部無線通信にて第１筐体部１と第２筐体部２との間のデータ伝送を行うことができる。例えば、外部無線通信用アンテナ６を介して第１筐体部１に取り込まれた画像データや音声データを、内部無線通信用アンテナ７、１０を用いた内部無線通信にて第２筐体部２に送り、表示体８に画像を表示させたり、スピーカ９から音声を出力させたりすることができる。また、撮像素子１２にて撮像された撮像データを、内部無線通信用アンテナ７、１０を用いた内部無線通信にて第２筐体部２から第１筐体部１に送り、外部無線通信用アンテナ６を介して外部に送出させることができる。
【００３４】
これにより、第１筐体部１と第２筐体部２との間のデータ伝送を有線で行う必要がなくなり、多ピン化されたフレキシブル配線基板をヒンジ３に通す必要がなくなる。このため、ヒンジ３の構造の複雑化を抑制することが可能となるとともに、実装工程の煩雑化を防止することが可能となり、コストアップを抑制しつつ、携帯電話の小型薄型化および高信頼性化を図ることが可能となるとともに、携帯電話の携帯性を損なうことなく、携帯電話の大画面化および多機能化を図ることができる。
【００３５】
図３は、本発明の無線通信制御方法が適用される回転式携帯電話の外観を示す斜視図である。
図３において、第１筐体部２１の表面には、操作ボタン２４が配置されるとともに、第１筐体部２１の下端にはマイク２５が設けられ、第１筐体部２１の上端には外部無線通信用アンテナ２６が取り付けられている。また、第２筐体部２２の表面には、表示体２８が設けられるとともに、第２筐体部２２の上端にはスピーカ２９が設けられている。また、第１筐体部２１および第２筐体部２２には、第１筐体部２１と第２筐体部２２との間で内部無線通信を行う内部無線通信用アンテナ２７、３０がそれぞれ設けられている。
【００３６】
そして、第１筐体部２１および第２筐体部２２はヒンジ２３を介して連結され、ヒンジ２３を支点として第２筐体部２２を水平に回転させることにより、第２筐体部２２を第１筐体部２１上に重ねて配置したり、第２筐体部２２を第１筐体部２１からずらしたりすることができる。そして、第２筐体部２２を第１筐体部２１上に重ねて配置することにより、操作ボタン２４を第２筐体部２２にて保護することができ、携帯電話を持ち歩く時に操作ボタン２４が誤って操作させることを防止することができる。また、第２筐体部２２を水平に回転させて、第２筐体部２２を第１筐体部２１からずらすことにより、表示体２８を見ながら操作ボタン２４を操作したり、スピーカ２９およびマイク２５を使いながら通話したりすることができる。
【００３７】
ここで、内部無線通信用アンテナ２７、３０を第１筐体部２１および第２筐体部２２にそれぞれ設けることにより、内部無線通信用アンテナ２７、３０を用いた内部無線通信にて第１筐体部２１と第２筐体部２２との間のデータ伝送を行うことができる。例えば、外部無線通信用アンテナ２６を介して第１筐体部２１に取り込まれた画像データや音声データを、内部無線通信用アンテナ２７、３０を用いた内部無線通信にて第２筐体部２２に送り、表示体２８に画像を表示させたり、スピーカ２９から音声を出力させたりすることができる。
【００３８】
これにより、多ピン化されたフレキシブル配線基板をヒンジ２３に通す必要がなくなり、ヒンジ２３の構造の複雑化を抑制することが可能となるとともに、実装工程の煩雑化を防止することが可能となる。このため、コストアップを抑制しつつ、携帯電話の小型薄型化および高信頼性化を図ることが可能となるとともに、携帯電話の携帯性を損なうことなく、携帯電話の大画面化および多機能化を図ることができる。
【００３９】
なお、上述した実施形態では、携帯電話を例にとって説明したが、ビデオカメラ、ＰＤＡ（Ｐｅｒｓｏｎａｌ  Ｄｉｇｉｔａｌ  Ａｓｓｉｓｔａｎｃｅ）、ノート型パーソナルコンピュータなどに適用することもできる。
図４は、本発明の第１実施形態に係る無線通信端末の概略構成を示すブロック図である。
【００４０】
図４において、第１筐体部Ｋ１１には、外部無線通信用電波の送受信を行う外部無線通信用アンテナ１０１、外部無線通信用アンテナ１０１を介して送受信される信号の変復調処理を行う無線部１０２、ベースバンド信号処理を行うベースバンド信号処理部１０３、無線通信端末全体の制御を司る制御部１０４、制御部１０４が処理を実行する際のワークエリアを提供したり、その処理結果を記憶したりするＲＡＭ１０５、無線通信端末を動作させるための各種制御プログラムを格納するＲＯＭ１０６、内部無線通信用アンテナ１０８を介して行われる内部無線通信の制御を司る送信部１０７、内部無線通信用電波の送受信を第１筐体部Ｋ１１側で行う内部無線通信用アンテナ１０８、無線部１０２の出力レベルを検出するキャリア検出部１０９、キャリア検出部１０９にて検出された出力レベルに基づいて、送信部１０７の動作を有線にて停止させる送受信制御部１１０および液晶表示部１２４の表示タイミングを制御する液晶コントローラ１１１が設けられている。
【００４１】
また、第２筐体部Ｋ１２には、内部無線通信用アンテナ１２２を介して行われる内部無線通信の制御を司る受信部１２１、内部無線通信用電波の受信を第２筐体部Ｋ１２側で行う内部無線通信用アンテナ１２２および表示データの表示を行う液晶表示部１２４が設けられている。なお、外部無線通信における送受信データとしては、例えば、通話時の音声データ、メール時の文字データや画像データなどを挙げることができる。また、内部無線通信における送受信データとしては、例えば、液晶表示部１２４に表示される表示データまたは第２筐体部Ｋ１２を制御する制御信号などを挙げることができる。また、制御部１０４としてはＣＰＵを用いることができる。
【００４２】
そして、第１筐体部Ｋ１１および第２筐体部Ｋ１２は、第１筐体部Ｋ１１と第２筐体部Ｋ１２との間の位置関係を変えられるように連結されている。なお、第１筐体部Ｋ１１と第２筐体部Ｋ１２との間の位置関係を変える方法としては、第２筐体部２を第１筐体部１上に折り畳めるようにする方法の他、第２筐体部２を第１筐体部１上で水平に回転できるようにする方法あるいは第２筐体部２を第１筐体部１上で左右または前後にスライドできるようにする方法などを挙げることができる。
【００４３】
そして、外部無線通信用アンテナ１０１を介してデータを送信する場合、ベースバンド信号処理部１０３に送られた送信データがベースバンド信号処理される。そして、ベースバンド信号処理部１０３から出力された送信データの変調処理が無線部１０２にて行われ、外部無線通信用アンテナ１０１を介して外部に送出される。一方、外部無線通信用アンテナ１０１を介してデータを受信する場合、外部無線通信用アンテナ１０１を介して受信された受信データが無線部１０２に送られ、無線部１０２にて復調処理が行われる。そして、無線部１０２から出力された受信データがベースバンド信号処理部１０３に送られ、ベースバンド信号処理部１０３にてベースバンド信号処理が行われた後、制御部１０４に出力される。ここで、無線部１０２から送信される信号はキャリア検出部１０９に送られ、キャリア検出部１０９は、無線部１０２の出力レベルを検出することができる。
【００４４】
図５は、図４の無線部１０２およびキャリア検出部１０９の概略構成を示すブロック図である。
図５において、無線部１０２には、スイッチ１２１、パワーアンプ１２２、１３２、混合器１２３、１２７、１３３、１３７、フィルタ１２４、１２８、１３４、１３８、Ａ／Ｄコンバータ１２５、１２９、Ｄ／Ａコンバータ１３５、１３９、位相シフタ１２６、１３６、加算器１４０およびＰＬＬ回路１４１が設けられている。また、キャリア検出部１０９には、パワーディテクタ１４２およびコンパレータ１４３が設けられている。
【００４５】
そして、受信時にはスイッチ１２１がパワーアンプ１２２側に切り替えられる。そして、外部無線通信用アンテナ１０１を介して受信された信号は、パワーアンプ１２２を介して混合器１２３、１２７に送られる。ここで、混合器１２３には、ＰＬＬ回路１４１にて生成された局部発振信号が位相シフタ１２６を介して入力されるとともに、混合器１２７には、ＰＬＬ回路１４１にて生成された局部発振信号が直接入力される。
【００４６】
そして、パワーアンプ１２２から出力された信号は、位相シフトされた局部発振信号と混合器１２３にて混合された後、フィルタ１２４にて所望の周波数が抽出される。そして、フィルタ１２４から出力された信号がＡ／Ｄコンバータ１２５にてデジタル化された後、ベースバンド信号処理部１０３に送られる。また、パワーアンプ１２２から出力された信号は、局部発振信号と混合器１２７にて混合された後、フィルタ１２８にて所望の周波数が抽出される。そして、フィルタ１２８から出力された信号がＡ／Ｄコンバータ１２９にてデジタル化された後、ベースバンド信号処理部１０３に送られる。
【００４７】
一方、送信時にはスイッチ１２１がパワーアンプ１３２側に切り替えられる。そして、ベースバンド信号処理部１０３から出力された信号は、Ｄ／Ａコンバータ１３５、１３９にてそれぞれアナログ化された後、各フィルタ１３４、１３８にて所望の周波数が抽出される。そして、各フィルタ１３４、１３８から出力された信号は、混合器１３３、１３７にそれぞれ送られる。ここで、混合器１３３には、ＰＬＬ回路１４１にて生成された局部発振信号が位相シフタ１３６を介して入力されるとともに、混合器１３７には、ＰＬＬ回路１４１にて生成された局部発振信号が直接入力される。そして、フィルタ１３４から出力された信号は、位相シフトされた局部発振信号と混合器１３３にて混合された後、加算器１４０に送られる。また、フィルタ１３８から出力された信号は、局部発振信号と混合器１３７にて混合された後、加算器１４０に送られる。そして、混合器１３３、１３７から出力された信号が加算器１４０にて加算された後、パワーアンプ１３２を介して外部無線通信用アンテナ１０１に送られ、外部無線通信用アンテナ１０１を介して外部に送出される。
また、パワーアンプ１３２から出力された信号はパワーディテクタ１４２に送られ、パワーディテクタ１４２にて出力レベルが検出される。そして、パワーディテクタ１４２にて検出された出力レベルは、コンパレータ１４３にて規定値と比較された後、その比較結果が図４の送受信制御部１１０に送られる。
【００４８】
一方、液晶コントローラ１１１に画像データが入力されると、液晶コントローラ１１１は、液晶表示部１２４を駆動するための表示用信号および表示用信号に同期した画像信号を生成する。そして、液晶コントローラ１１１は、表示用信号および画像信号を送信部１０７に送るとともに、表示用信号を送受信制御部１１０に送る。
図６は、図４の液晶コントローラ１１１の概略構成を示すブロック図である。
【００４９】
図６において、液晶コントローラ１１１には、データバス１５１、表示用メモリ１５２、信号同期回路１５３および表示タイミング発生回路１５４が設けられている。そして、制御部１０４などの外部装置から液晶コントローラ１１１に入力された画像データは、データバス１５１を介して表示用メモリ１５２に送られ、表示用メモリ１５２に格納される。そして、表示用メモリ１５２に格納された画像データは画像信号として読み出され、信号同期回路１５３に送られる。
【００５０】
一方、表示タイミング発生回路１５４には、外部からのクロック信号が入力される。そして、表示タイミング発生回路１５４は、このクロック信号に基づいて、液晶表示部１２４を駆動するための表示用信号（水平同期信号、垂直同期信号およびＸドライバの転送クロック）および画像信号を表示用信号に同期させるための同期クロック信号を生成する。そして、表示タイミング発生回路１５４は、表示用信号を送信部１０７に出力するとともに、同期クロック信号を信号同期回路１５３に出力する。
【００５１】
そして、信号同期回路１５３は、表示用メモリ１５２から画像データが送られると、その画像データをバッファリングし、表示タイミング発生回路１５４から送られた同期クロック信号に従って、画像データを画像信号として送信部１０７に出力する。
なお、液晶表示部１２４のリフレッシュレートは、表示用メモリ１５２から画像データを読み出し、液晶表示部１２４に画像信号を送る速度、すなわち、単位時間に１フレーム（画面）分の画像信号が表示用メモリ１５２から液晶表示部１２４に何回送出されるかを示す値に相当する。一般に、リフレッシュは毎秒１５〜３０回程度行うことができる。また、クロック信号の周波数を調整することにより、表示タイミング発生回路１５４から出力される表示用信号および信号同期回路１５３から出力される画像信号の周波数を調整することができ、液晶表示部１２４の画像書き換え回数を調整することができる。
【００５２】
一方、送受信制御部１１０は、外部無線通信時の出力レベルがキャリア検出部１０９にて検出されると、キャリア検出部１０９にて検出された出力レベルに基づいて、外部無線通信用アンテナ１０１から送信が行われているかを判断することができる。そして、外部無線通信用アンテナ１０１から送信が行われている場合、液晶コントローラ１１１から送られた表示用信号に従って、送信部１０７の動作を停止させることができる。
【００５３】
ここで、無線通信端末の外部無線通信における通信方式として、多元接続方式の一種であるＴＤＭＡ（Ｔｉｍｅ  Ｄｉｖｉｓｉｏｎ  Ｍｕｌｔｉｐｌｅ  Ａｃｃｅｓｓ）を用いることができる。
図７は、ＴＤＭＡのスロット構成を示す図である。
図７において、ＴＤＭＡでは、１つの周波数帯を一定時間ごとに区切り、複数のユーザが所定の時間ずつ１つの周波数帯を共有することができる。すなわち、周波数帯域を時間で分割して各無線通信端末に割り当て、ユーザは、割り当てられた時間内では全帯域幅を使用することができる。各無線通信端末は信号を継続的かつ周期的に送信し、各無線通信端末が通信する間には、各無線通信端末と基地局との間の距離の差や送信タイミングの誤差などにより、各無線通信端末からのバーストが重なることを防止するため、ガードタイムが設けられている。
【００５４】
図８は、図４の無線通信端末の内部通信制御方法を示す図である。
図８（ａ）において、３０フレーム／秒の割合で画像データが液晶コントローラ１１１に送られるものとすると、１フレーム分の画像データが３３ｍｓで送られる。一方、図８（ｂ）において、ＴＤＭＡの基本フレーム（８０ｍｓ）が４スロットに分割され、例えば、スロット１〜４のうちスロット１がユーザの無線通信端末に割り当てられた送信タイミングであるとすると、他のスロット２〜４では、このユーザの無線通信端末から基地局へのデータの送信が行われない。このため、図４のキャリア検出部１０９は、無線部１０２の入出力レベルをモニタすることにより、ユーザの無線通信端末に割り当てられた送信タイミングを検出することができる。
【００５５】
そして、送受信制御部１１０は、スロット１のタイミングにおいて垂直同期信号が液晶コントローラ１１１から送られると、図８（ｃ）に示すように、１フレーム分に対応した通信制御信号Ｓ１１を生成し、その通信制御信号Ｓ１１を送信部１０７に出力することができる。そして、送信部１０７は、通信制御信号Ｓ１１を送受信制御部１１０から受け取ると、図８（ｄ）に示すように、そのフレームの画像信号の送信を停止することができる。そして、送信部１０７からの画像信号の送信が停止されると、液晶表示部１２４を駆動するための表示用信号の送信も停止され、液晶表示部１２４に表示されている画像データをそのまま保持させることができる。
【００５６】
一方、送受信制御部１１０は、外部無線通信用アンテナ１０１から送信が行われていない場合、送信部１０７への通信制御信号Ｓ１１の出力を停止する。そして、送信部１０７は、送受信制御部１１０から通信制御信号Ｓ１１が出力されない場合、液晶コントローラ１１１から送られた画像信号および表示用信号を無線信号に変調し、内部無線通信用アンテナ１０８を介して送信することができる。そして、内部無線通信用アンテナ１０８を介して画像信号および表示用信号が送信されると、この画像信号および表示用信号が内部無線通信用アンテナ１２２を介して受信される。そして、受信部１２１は、画像信号および表示用信号を受信すると、表示データにタイミングを合わせて水平同期信号、垂直同期信号およびＸドライバの転送クロックを復調する。そして、受信部１２１は、これらの信号を液晶表示部１２４に送ることにより、画像データを液晶表示部１２４に表示させることができる。
【００５７】
これにより、外部無線通信用アンテナ１０１を介して送信される電波の送信タイミングに基づいて、液晶表示部１２４に表示される表示データの更新タイミングを制御することが可能となり、外部無線通信用アンテナ１０１を介して電波が送信されていない時に、第１筐体部Ｋ１１と第２筐体部Ｋ１２との間での表示データのやり取りを無線で行うことが可能となる。このため、外部無線通信による通信環境の変化を許容しつつ、第１筐体部Ｋ１１と第２筐体部Ｋ１２との間で伝送される表示データの品質の劣化を抑制することが可能となるとともに、第１筐体部Ｋ１１と第２筐体部Ｋ１２との間でのデータ伝送量が増大した場合においても、連結部の構成を複雑化させることなく、第１筐体部Ｋ１１と第２筐体部Ｋ１２との間の位置関係を変化させることが可能となる。この結果、コストアップを抑制しつつ、無線通信端末の小型薄型化および高信頼性化を図ることが可能となるとともに、無線通信端末の携帯性を損なうことなく、無線通信端末の大画面化および多機能化を図ることができる。
【００５８】
また、無線部１０２の出力レベルのモニタ結果に基づいて、ユーザの無線通信端末に割り当てられた送信タイミングを検出することにより、回路構成の複雑化および大規模化を抑制することが可能となるとともに、無駄な再送を防止したり、内部無線通信での送信電力を下げるなどの省電力化を図ることができる。
なお、無線通信端末の具体例としては携帯電話を挙げることができる。これにより、携帯電話にクラムシェル構造が採用された場合においても、第１筐体部Ｋ１１と第２筐体部Ｋ１２との間のデータ伝送を無線で安定して行うことが可能となる。このため、携帯電話に搭載される液晶表示部１２４の高解像度化および大画面化に対応して、第１筐体部Ｋ１１と第２筐体部Ｋ１２との間でやり取りされるデータ量が増大した場合においても、第１筐体部Ｋ１１と第２筐体部Ｋ１２との間の配線数の増大を抑制することができ、ヒンジの構造の複雑化を抑制することが可能となるとともに、実装工程の煩雑化を防止することが可能となる。
【００５９】
また、内部無線通信用アンテナ７、１０を用いた内部無線通信としては、微弱無線またはＵＷＢ無線の近距離無線を用いることができる。これにより、内部無線通信における出力レベルを抑制しつつ、内部無線通信を安定して行うことが可能となる。このため、第１筐体部Ｋ１１と第２筐体部Ｋ１との間でのデータ伝送量が増大した場合においても、法規制の制約を受けることなく、第１筐体部Ｋ１１と第２筐体部Ｋ１との間でのデータ伝送を無線で行うことが可能となり、第１筐体部Ｋ１１と第２筐体部Ｋ１２との間の配線数の増大を抑制することができる。
【００６０】
また、上述した実施形態では、外部無線通信の通信方式として、ＴＤＭＡを例にとって説明したが、ＴＤＭＡ以外にも、ＦＤＭＡ（Ｆｒｅｑｕｅｎｃｙ  Ｄｉｖｉｓｉｏｎ  Ｍｕｌｔｉｐｌｅ  Ａｃｃｅｓｓ）またはＣＤＭＡ（Ｃｏｄｅ  Ｄｉｖｉｓｉｏｎ  Ｍｕｌｔｉｐｌｅ  Ａｃｃｅｓｓ）などの多重方式に適用するようにしてもよい。
また、外部無線通信による送信が行われている時に、液晶表示部１２４に表示されるデータの一部を内部有線通信にて第１筐体部Ｋ１１から第２筐体部Ｋ１２に送信するようにしてもよい。なお、液晶表示部１２４に表示されるデータの一部としては、例えば、電池の残量、時計または圏外などを表示させるデータを挙げることができる。また、第１筐体部Ｋ１１と第２筐体部Ｋ１２との間に設けられた電源ラインを介して、液晶表示部１２４に表示されるデータの一部を送信するようにしてもよい。
【００６１】
また、上述した実施形態では、外部無線通信用アンテナ１０１から送信が行われていない時に、表示タイミング発生回路１５４にて生成された垂直同期信号に従って、送信部１０７からの画像信号の送信を停止させる方法について説明したが、受信部１２１にフレームバッファを設け、図９に示すように、外部無線通信用アンテナ１０１から送信が行われていないスロット１のタイミングで通信制御信号Ｓ１１を送信部１０７に出力するとともに、１フレーム分の画像データがフレームバッファに溜まったら、画像データを液晶表示部１２４に表示させるようにしてもよい。これにより、液晶表示部１２４に画像データＡ２、Ａ４、Ａ６、・・・を表示させることが可能となるととともに、送信タイミングが外部無線通信と重複する部分を含む画像データＡ１、Ａ３、Ａ５、・・・が液晶表示部１２４に表示されることを防止することができる。
【００６２】
図１０、本発明の第２実施形態に係る無線通信端末の概略構成を示すブロック図である。
図１０において、第１筐体部Ｋ２１には、外部無線通信用アンテナ２０１、無線部２０２、ベースバンド信号処理部２０３、制御部２０４、ＲＡＭ２０５、ＲＯＭ２０６、送信部２０７、内部無線通信用アンテナ２０８、キャリア検出部２０９および送受信制御部２１０が設けられている。また、第２筐体部Ｋ２２には、受信部２２１、内部無線通信用アンテナ２２２、液晶コントローラ２２３および液晶表示部２２４が設けられている。そして、第１筐体部Ｋ２１および第２筐体部Ｋ２２は、第１筐体部Ｋ２１と第２筐体部Ｋ２２との間の位置関係を変えられるように連結されている。
【００６３】
そして、無線部２０２から送信される信号はキャリア検出部２０９に送られ、キャリア検出部２０９は、無線部２０２の出力レベルを検出することができる。そして、キャリア検出部２０９にて検出された出力レベルは、送受信制御部２１０に送られる。一方、制御部２０４から出力された画像データは、送受信部２０７および送受信制御部２１０に送られる。
【００６４】
そして、送受信制御部２１０は、外部無線通信時の出力レベルがキャリア検出部２０９にて検出されると、キャリア検出部２０９にて検出された出力レベルに基づいて、外部無線通信用アンテナ２０１から送信が行われているかを判断することができる。そして、送受信制御部２１０は、外部無線通信用アンテナ２０１から送信が行われている場合、画像データが送受信部２０７に送られているタイミングで通信制御信号Ｓ２１を送信部２０７に出力し、送信部２０７の動作を停止させることができる。また、送受信制御部２１０は、通信制御信号Ｓ２１を送信部２０７に出力するとともに、通信制御信号Ｓ２２を受信部２２１および液晶コントローラ２２３に有線にて出力し、受信部２２１および液晶コントローラ２２３の動作を停止させることができる。
【００６５】
図１１は、図１０の無線通信端末の内部通信制御方法を示す図である。
図１１において、スロット１〜４のうちスロット１がユーザの無線通信端末に割り当てられた送信タイミングであるとすると、図１０のキャリア検出部２０９は、無線部２０２の入出力レベルをモニタすることにより、ユーザの無線通信端末に割り当てられた送信タイミングを検出することができる。
【００６６】
そして、送受信制御部２１０は、スロット１のタイミングがキャリア検出部２０９にて検出されると、図１１（ｃ）に示すように、そのスロット１のタイミングに合わせて通信制御信号Ｓ２１を送信部１０７に出力するとともに、通信制御信号Ｓ２２を受信部２２１および液晶コントローラ２２３に有線にて出力する。そして、送信部２０７は、通信制御信号Ｓ２１を受け取ると、送信動作を停止する。また、受信部２２１は、通信制御信号Ｓ２２を受け取ると、受信動作を停止し待機状態に移行する。また、液晶コントローラ２２３は、通信制御信号Ｓ２２を受け取ると、表示メモリの値の更新を停止し、液晶表示部２２４に表示されている画像データをそのまま保持する。
【００６７】
これにより、外部無線通信用アンテナ２０１を介して電波が送信されている時は、送信部２０７から受信部２２１への画像データの送信を停止させることができ、その画像データが液晶表示部２２４に表示さないようにすることができる。このため、第１筐体部Ｋ２１と第２筐体部Ｋ２２との間での表示データのやり取りを無線で行うことを可能としつつ、液晶表示部２２４に乱れた画像が表示されることを防止することが可能となる。
【００６８】
また、液晶コントローラ２２３を第２筐体部Ｋ２２側に設けることで、１画面分の表示データを受けてから、液晶表示部２２４の表示をリフレッシュすることが可能となり、フレームの途中でデータの送信が中断した場合においても、画像の乱れを防止することができる。また、フレーム単位での送信のオン／オフを容易に制御することもできる。さらに、外部無線通信用アンテナ２０１を介して電波が送信されている時に、送信部２０７および受信部２２１の動作を停止させることにより、無駄な電力の消費を抑えることができる。
【００６９】
一方、送受信制御部２１０は、外部無線通信用アンテナ２０１から送信が行われていない場合、送信部２０７への通信制御信号Ｓ２１の出力を停止する。そして、送信部２０７は、送受信制御部２１０から通信制御信号Ｓ２１が出力されない場合、制御部２０４から出力された画像データを無線信号に変調し、内部無線通信用アンテナ２０８を介して送信することができる。そして、内部無線通信用アンテナ２０８を介して画像データが送信されると、この画像データが内部無線通信用アンテナ２２２を介して受信され、受信部２２１に入力される。そして、受信部２２１は、送信部２０７から送信された画像データを受け取ると、その画像データを復調し、復調された画像データを液晶コントローラ２２３に送る。そして、液晶コントローラ２２３は、画像データを受信部２２１から受け取ると、表示データ、水平同期信号および垂直同期信号を生成する。そして、液晶コントローラ２２３は、これらの信号を液晶表示部２２４に送ることにより、画像データを液晶表示部２２４に表示させることができる。
【００７０】
なお、上述した実施形態では、外部無線通信用アンテナ２０１を介して電波が送信されている時には、液晶コントローラ２２３の表示メモリの更新を停止させることで、画像の乱れを防止する方法について説明したが、液晶コントローラ２２３や外部に予め保存された画像や文字を液晶表示部２２４に表示させるようにしてもよい。例えば、通信制御信号Ｓ２２により、液晶コントローラ２２３内の表示メモリ１５２に書き込む画像データを、送られてきた画像と予め用意された画像とで切り替えるように構成することができる。
【００７１】
図１２は、本発明の第３実施形態に係る無線通信端末の概略構成を示すブロック図である。
図１２において、第１筐体部Ｋ３１には、外部無線通信用アンテナ３０１、無線部３０２、ベースバンド信号処理部３０３、制御部３０４、ＲＡＭ３０５、ＲＯＭ３０６、送信部３０７、内部無線通信用アンテナ３０８、キャリア検出部３０９および送受信制御部３１０が設けられている。また、第２筐体部Ｋ３２には、受信部３２１、内部無線通信用アンテナ３２２、液晶コントローラ３２３、液晶表示部３２４および受信制御部３２５が設けられている。そして、第１筐体部Ｋ３１および第２筐体部Ｋ３２は、第１筐体部Ｋ３１と第２筐体部Ｋ３２との間の位置関係を変えられるように連結されている。
【００７２】
そして、無線部３０２から送信される信号はキャリア検出部３０９に送られ、キャリア検出部３０９は、無線部３０２の出力レベルを検出することができる。そして、キャリア検出部３０９にて検出された出力レベルは、送受信制御部３１０に送られる。一方、制御部３０４から出力された画像データは、送受信部３０７および送受信制御部３１０に送られる。
【００７３】
そして、送受信制御部３１０は、外部無線通信時の出力レベルがキャリア検出部３０９にて検出されると、キャリア検出部３０９にて検出された出力レベルに基づいて、外部無線通信用アンテナ３０１から送信が行われているかを判断することができる。そして、送受信制御部３１０は、外部無線通信用アンテナ３０１から送信が行われている場合、画像データが送受信部３０７に送られているタイミングで通信制御信号Ｓ３１を送信部３０７に出力する。そして、送信部３０７は、通信制御信号Ｓ３１を受け取ると、送信動作を停止する。
【００７４】
一方、受信部３２１は、内部無線通信用アンテナ３２２を介して信号を受信すると、その信号を受信制御部３２５に送る。そして、受信制御部３２５は、受信部３２１から送られた信号を受け取ると、その信号の強度に基づいて、その信号が有効なデータを含むかどうかを判定する。そして、受信制御部３２５は、受信部３２１から送られた信号に有効なデータが含まれないと判定した場合、受信動作を停止し待機状態に移行するとともに、通信制御信号Ｓ３２を液晶コントローラ３２３に送る。そして、液晶コントローラ３２３は、通信制御信号Ｓ３２を受け取ると、表示メモリの値の更新を停止し、液晶表示部３２４に表示されている画像データをそのまま保持する。
【００７５】
一方、送受信制御部３１０は、外部無線通信用アンテナ３０１から送信が行われていない場合、送信部３０７への通信制御信号Ｓ３１の出力を停止する。そして、送信部３０７は、送受信制御部３１０から通信制御信号Ｓ３１が出力されない場合、制御部３０４から出力された画像データを無線信号に変調し、内部無線通信用アンテナ３０８を介して送信することができる。そして、内部無線通信用アンテナ３０８を介して画像データが送信されると、この画像データが内部無線通信用アンテナ３２２を介して受信され、受信部３２１に入力される。
【００７６】
そして、受信部３２１は、送信部３０７から送信された画像データを受け取ると、その信号を受信制御部３２５に送る。そして、受信制御部３２５は、受信部３２１から送られた信号を受け取ると、その信号の強度に基づいて、その信号が有効なデータを含むかどうかを判定する。そして、受信部３２１は、送信部３０７から送られた信号に有効なデータが含まれると受信制御部３２５にて判定された場合、その画像データを復調し、復調された画像データを液晶コントローラ３２３に送る。また、受信制御部３２５は、送信部３０７から送られた信号に有効なデータが含まれると判定した場合、液晶コントローラ３２３への通信制御信号Ｓ３２の出力を停止する。そして、液晶コントローラ３２３は、通信制御信号Ｓ３２の出力がない状態で、画像データを受信部３２１から受け取ると、表示データ、水平同期信号および垂直同期信号を生成する。そして、液晶コントローラ３２３は、これらの信号を液晶表示部３２４に送ることにより、画像データを液晶表示部３２４に表示させることができる。
【００７７】
これにより、有線を利用することなく、外部無線通信用アンテナ３０１から電波が送信されているかどうかを第２筐体部Ｋ３２側で判断することが可能となるとともに、外部無線通信用アンテナ３０１を介して電波が送信されている時は、送信部３０７から受信部３２１への画像データの送信を停止させることができる。このため、第１筐体部Ｋ３１と第２筐体部Ｋ３２との間でのデータ転送を無線で行うことを可能としつつ、液晶表示部３２４に乱れた画像が表示されることを防止することが可能となる。
【００７８】
図１３は、本発明の第４実施形態に係る無線通信端末の構成を示すブロック図である。
図１３において、第１筐体部Ｋ４１には、外部無線通信用アンテナ４０１、無線部４０２、ベースバンド信号処理部４０３、制御部４０４、ＲＡＭ４０５、ＲＯＭ４０６、送信部４０７、内部無線通信用アンテナ４０８、キャリア検出部４０９、送受信制御部４１０、液晶コントローラ４１１およびキャリア検出用アンテナ４１２が設けられている。また、第２筐体部Ｋ４２には、受信部４２１、内部無線通信用アンテナ４２２および液晶表示部４２４が設けられている。また、キャリア検出部４０９には、パワーディテクタ４４２およびコンパレータ４４３が設けられている。そして、第１筐体部Ｋ４１および第２筐体部Ｋ４２は、第１筐体部Ｋ４１と第２筐体部Ｋ４２との間の位置関係を変えられるように連結されている。
【００７９】
そして、外部無線通信用アンテナ４０１を介して送出された電波はキャリア検出用アンテナ４１１にて受信され、キャリア検出信号がキャリア検出部４０９に送られる。そして、キャリア検出部４０９は、キャリア検出用アンテナ４１１にて受信されたキャリア検出信号を受け取ると、そのキャリア検出信号の出力レベルを判定し、その判定結果を送受信制御部４１０に出力する。
【００８０】
そして、送受信制御部４１０は、外部無線通信時の出力レベルがキャリア検出部４０９にて検出されると、キャリア検出部４０９にて検出された出力レベルに基づいて、外部無線通信用アンテナ４０１から送信が行われているかを判断することができる。そして、外部無線通信用アンテナ４０１から送信が行われている場合、液晶コントローラ４１１から送られた表示用信号に従って、通信制御信号Ｓ４１を送信部４０７に出力する。そして、送信部４０７は、通信制御信号Ｓ４１を送受信制御部４１０から受け取ると、送信部４０７の動作を停止させることができる。
【００８１】
そして、送信部４０７からの画像信号の送信が停止されると、液晶表示部４２４を駆動するための表示用信号の送信も停止され、液晶表示部４２４に表示されている画像データをそのまま保持させることができる。
一方、送受信制御部４１０は、外部無線通信用アンテナ４０１から送信が行われていない場合、送信部４０７への通信制御信号Ｓ４１の出力を停止する。そして、送信部４０７は、送受信制御部４１０から通信制御信号Ｓ４１が出力されない場合、液晶コントローラ４１１から送られた画像信号および表示用信号を無線信号に変調し、内部無線通信用アンテナ４０８を介して送信することができる。そして、内部無線通信用アンテナ４０８を介して画像信号および表示用信号が送信されると、この画像信号および表示用信号が内部無線通信用アンテナ４２２を介して受信される。そして、受信部４２１は、画像信号および表示用信号を受信すると、表示データにタイミングを合わせて水平同期信号、垂直同期信号およびＸドライバの転送クロックを復調する。そして、受信部４２１は、これらの信号を液晶表示部４２４に送ることにより、画像データを液晶表示部４２４に表示させることができる。
【００８２】
これにより、外部無線通信用アンテナ４０１を介して送信される電波の出力レベルを直接モニタすることが可能となり、外部無線通信用アンテナ４０１を介して電波が送信されているかどうかを判断することが可能となる。このため、外部無線通信が行われていない時に、第１筐体部Ｋ４１と第２筐体部Ｋ４２との間で表示データのやり取りを行わせることが可能となり、表示データの品質の劣化を抑制することができる。
【００８３】
図１４は、本発明の第５実施形態に係る無線通信端末の構成を示すブロック図である。
図１４において、第１筐体部Ｋ５１には、外部無線通信用アンテナ５０１、無線部５０２、ベースバンド信号処理部５０３、制御部５０４、ＲＡＭ５０５、ＲＯＭ５０６、送信部５０７、内部無線通信用アンテナ５０８、キャリア検出部５０９、送受信制御部５１０およびキャリア検出用アンテナ５１１が設けられている。また、第２筐体部Ｋ５２には、受信部５２１、内部無線通信用アンテナ５２２、液晶コントローラ５２３および液晶表示部５２４が設けられている。そして、第１筐体部Ｋ５１および第２筐体部Ｋ５２は、第１筐体部Ｋ５１と第２筐体部Ｋ５２との間の位置関係を変えられるように連結されている。
【００８４】
そして、外部無線通信用アンテナ５０１を介して送出された電波はキャリア検出用アンテナ５１１にて受信され、キャリア検出信号がキャリア検出部５０９に送られる。そして、キャリア検出部５０９は、キャリア検出用アンテナ５１１にて受信されたキャリア検出信号を受け取ると、そのキャリア検出信号の出力レベルを判定し、その判定結果を送受信制御部５１０に出力する。一方、制御部５０４から出力された画像データは、送受信部５０７および送受信制御部５１０に送られる。
【００８５】
そして、送受信制御部５１０は、外部無線通信時の出力レベルがキャリア検出部５０９にて検出されると、キャリア検出部５０９にて検出された出力レベルに基づいて、外部無線通信用アンテナ５０１から送信が行われているかを判断することができる。そして、送受信制御部５１０は、外部無線通信用アンテナ５０１から送信が行われている場合、画像データが送受信部５０７に送られているタイミングで通信制御信号Ｓ５１を送信部５０７に出力し、送信部５０７の動作を停止させることができる。また、送受信制御部５１０は、通信制御信号Ｓ５１を送信部５０７に出力するとともに、通信制御信号Ｓ５２を受信部５２１および液晶コントローラ５２３に有線にて出力し、受信部５２１および液晶コントローラ５２３の動作を停止させることができる。
【００８６】
一方、送受信制御部５１０は、外部無線通信用アンテナ５０１から送信が行われていない場合、送信部５０７への通信制御信号Ｓ５１の出力を停止する。そして、送信部５０７は、送受信制御部５１０から通信制御信号Ｓ５１が出力されない場合、制御部５０４から出力された画像データを無線信号に変調し、内部無線通信用アンテナ５０８を介して送信する。そして、内部無線通信用アンテナ５０８を介して画像データが送信されると、この画像データが内部無線通信用アンテナ５２２を介して受信され、受信部５２１に入力される。そして、受信部５２１は、送信部５０７から送信された画像データを受け取ると、その画像データを復調し、復調された画像データを液晶コントローラ５２３に送る。そして、液晶コントローラ５２３は、画像データを受信部５２１から受け取ると、表示データ、水平同期信号および垂直同期信号を生成する。そして、液晶コントローラ５２３は、これらの信号を液晶表示部５２４に送ることにより、画像データを液晶表示部５２４に表示させることができる。
【００８７】
これにより、外部無線通信用アンテナ５０１を介して送信される電波の出力レベルを直接モニタすることが可能となり、外部無線通信用アンテナ５０１を介して電波が送信されているかどうかを判断することが可能となる。このため、外部無線通信用アンテナ５０１を介して電波が送信されている時は、送信部５０７から受信部５２１への画像データの送信を停止させることができ、液晶表示部５２４に乱れた画像が表示されることを防止することが可能となる。
【００８８】
図１５は、本発明の第６実施形態に係る無線通信端末の概略構成を示すブロック図である。
図１５において、第１筐体部Ｋ６１には、外部無線通信用アンテナ６０１、無線部６０２、ベースバンド信号処理部６０３、制御部６０４、ＲＡＭ６０５、ＲＯＭ６０６、送信部６０７、内部無線通信用アンテナ６０８、送受信制御部６１０および液晶コントローラ６１１が設けられている。また、第２筐体部Ｋ６２には、受信部６２１、内部無線通信用アンテナ６２２および液晶表示部６２４が設けられている。そして、第１筐体部Ｋ６１および第２筐体部Ｋ６２は、第１筐体部Ｋ６１と第２筐体部Ｋ６２との間の位置関係を変えられるように連結されている。
【００８９】
そして、外部無線通信用アンテナ６０１を介してデータを送信する場合、制御部６０４は、送信データをベースバンド信号処理部６０３に送るとともに、そのデータを送信する時の送信タイミングを送受信制御部６１０に通知する。そして、ベースバンド信号処理部６０３は、制御部６０４から送信データが送られると、送信データのベースバンド信号処理を行った後、無線部６０２に出力する。そして、無線部６０２は、ベースバンド信号処理された送信データを受け取ると、その送信データの変調処理を行った後、外部無線通信用アンテナ６０１を介して外部に送出する。
【００９０】
また、送受信制御部６１０は、送信データの送信タイミングが制御部６０４から通知されると、送信データの送信タイミングに基づいて、外部無線通信用アンテナ６０１から送信が行われているかを判断することができる。そして、外部無線通信用アンテナ６０１から送信が行われている場合、液晶コントローラ６１１から送られた表示用信号に従って、通信制御信号Ｓ６１を送信部６０７に出力する。そして、送信部６０７は、通信制御信号Ｓ６１を送受信制御部６１０から受け取ると、送信部６０７の動作を停止させることができる。
【００９１】
そして、送信部６０７からの画像信号の送信が停止されると、液晶表示部６２４を駆動するための表示用信号の送信も停止され、液晶表示部６２４に表示されている画像データをそのまま保持させることができる。
一方、送受信制御部６１０は、外部無線通信用アンテナ６０１から送信が行われていない場合、送信部６０７への通信制御信号Ｓ６１の出力を停止する。そして、送信部６０７は、送受信制御部６１０から通信制御信号Ｓ６１が出力されない場合、液晶コントローラ６１１から送られた画像信号および表示用信号を無線信号に変調し、内部無線通信用アンテナ６０８を介して送信することができる。そして、内部無線通信用アンテナ６０８を介して画像信号および表示用信号が送信されると、この画像信号および表示用信号が内部無線通信用アンテナ６２２を介して受信される。そして、受信部６２１は、画像信号および表示用信号を受信すると、表示データにタイミングを合わせて水平同期信号、垂直同期信号およびＸドライバの転送クロックを復調する。そして、受信部６２１は、これらの信号を液晶表示部６２４に送ることにより、画像データを液晶表示部６２４に表示させることができる。
【００９２】
これにより、外部無線通信の空き時間に内部無線通信を行わせることが可能となり、第１筐体部Ｋ６１と第２筐体部Ｋ６２との間の内部無線通信の効率の劣化を抑制しつつ、第１筐体部Ｋ６１と第２筐体部Ｋ６２との間でやり取りされる表示データの品質の劣化を抑制することができる。
なお、無線通信端末では、待ち受け、通話またはパケット通信などの動作モードに応じて外部との通信プロトコルを事前に決めておくことができる。従って、制御部６０４は、例えば、ＴＤＭＡやパケット通信を行う時には、送受信タイミングを予め知ることができる。このため、送受信制御部６１０は、外部無線通信の送受信タイミングに基づいて決定されたタイムスケジュールに基づいて、送信部６０７の動作を停止させるようにしてもよい。
【００９３】
図１６は、本発明の第７実施形態に係る無線通信端末の構成を示すブロック図である。
図１６において、第１筐体部Ｋ７１には、外部無線通信用アンテナ７０１、無線部７０２、ベースバンド信号処理部７０３、制御部７０４、ＲＡＭ７０５、ＲＯＭ７０６、送信部７０７、内部無線通信用アンテナ７０８および送受信制御部７１０が設けられている。また、第２筐体部Ｋ７２には、受信部７２１、内部無線通信用アンテナ７２２、液晶コントローラ７２３および液晶表示部７２４が設けられている。そして、第１筐体部Ｋ７１および第２筐体部Ｋ７２は、第１筐体部Ｋ７１と第２筐体部Ｋ７２との間の位置関係を変えられるように連結されている。
【００９４】
そして、外部無線通信用アンテナ７０１を介してデータを送信する場合、制御部７０４は、送信データをベースバンド信号処理部７０３に送るとともに、そのデータを送信する時の送信タイミングを送受信制御部７１０に通知する。そして、ベースバンド信号処理部７０３は、制御部７０４から送信データが送られると、送信データのベースバンド信号処理を行った後、無線部７０２に出力する。そして、無線部７０２は、ベースバンド信号処理された送信データを受け取ると、その送信データの変調処理を行った後、外部無線通信用アンテナ７０１を介して外部に送出する。
【００９５】
また、制御部７０４から出力された画像データは、送信部７０７および送受信制御部７１０に送られる。そして、送受信制御部７１０は、送信データの送信タイミングが制御部７０４から通知されると、送信データの送信タイミングに基づいて、外部無線通信用アンテナ７０１から送信が行われているかを判断することができる。
そして、送受信制御部７１０は、外部無線通信用アンテナ７０１から送信が行われている場合、画像データが送受信部７０７に送られているタイミングで通信制御信号Ｓ７１を送信部７０７に出力し、送信部７０７の動作を停止させることができる。また、送受信制御部７１０は、通信制御信号Ｓ７１を送信部７０７に出力するとともに、通信制御信号Ｓ７２を受信部７２１および液晶コントローラ７２３に有線にて出力し、受信部７２１および液晶コントローラ７２３の動作を停止させることができる。
【００９６】
一方、送受信制御部７１０は、外部無線通信用アンテナ７０１から送信が行われていない場合、送信部７０７への通信制御信号Ｓ７１の出力を停止する。そして、送信部７０７は、送受信制御部７１０から通信制御信号Ｓ７１が出力されない場合、制御部７０４から出力された画像データを無線信号に変調し、内部無線通信用アンテナ７０８を介して送信する。そして、内部無線通信用アンテナ７０８を介して画像データが送信されると、この画像データが内部無線通信用アンテナ７２２を介して受信され、受信部７２１に入力される。そして、受信部７２１は、送信部７０７から送信された画像データを受け取ると、その画像データを復調し、復調された画像データを液晶コントローラ７２３に送る。そして、液晶コントローラ７２３は、画像データを受信部７２１から受け取ると、表示データ、水平同期信号および垂直同期信号を生成する。そして、液晶コントローラ７２３は、これらの信号を液晶表示部７２４に送ることにより、画像データを液晶表示部７２４に表示させることができる。
【００９７】
これにより、制御部７０４の制御状態に基づいて、外部無線通信用アンテナ７０１から電波が送信されているかどうかを判断することが可能となる。このため、外部無線通信用アンテナ７０１を介して電波が送信されている時は、送信部７０７から受信部７２１への画像データの送信を停止させることができ、回路構成の複雑化および大規模化を抑制しつつ、液晶表示部７２４に乱れた画像が表示されることを防止することが可能となる。
【００９８】
図１７は、本発明の第８実施形態に係る無線通信端末の構成を示すブロック図である。
図１７において、第１筐体部Ｋ８１には、外部無線通信用アンテナ８０１、無線部８０２、ベースバンド信号処理部８０３、制御部８０４、ＲＡＭ８０５、ＲＯＭ８０６、送信部８０７、内部無線通信用アンテナ８０８および送受信制御部８１０が設けられている。また、第２筐体部Ｋ８２には、受信部８２１、内部無線通信用アンテナ８２２、液晶コントローラ８２３、液晶表示部７２４および受信制御部８２５が設けられている。そして、第１筐体部Ｋ８１および第２筐体部Ｋ８２は、第１筐体部Ｋ８１と第２筐体部Ｋ８２との間の位置関係を変えられるように連結されている。
【００９９】
そして、外部無線通信用アンテナ８０１を介してデータを送信する場合、制御部８０４は、送信データをベースバンド信号処理部８０３に送るとともに、そのデータを送信する時の送信タイミングを送受信制御部８１０に通知する。そして、ベースバンド信号処理部８０３は、制御部８０４から送信データが送られると、送信データのベースバンド信号処理を行った後、無線部８０２に出力する。そして、無線部８０２は、ベースバンド信号処理された送信データを受け取ると、その送信データの変調処理を行った後、外部無線通信用アンテナ８０１を介して外部に送出する。
【０１００】
また、制御部８０４から出力された画像データは、送受部８０７および送受信制御部８１０に送られる。そして、送受信制御部８１０は、送信データの送信タイミングが制御部８０４から通知されると、送信データの送信タイミングに基づいて、外部無線通信用アンテナ８０１から送信が行われているかを判断することができる。そして、送受信制御部８１０は、外部無線通信用アンテナ８０１から送信が行われている場合、画像データが送受信部８０７に送られているタイミングで通信制御信号Ｓ８１を送信部８０７に出力する。そして、送信部８０７は、通信制御信号Ｓ８１を受け取ると、送信動作を停止する。
【０１０１】
一方、受信部８２１は、内部無線通信用アンテナ８２２を介して信号を受信すると、その信号を受信制御部８２５に送る。そして、受信制御部８２５は、受信部８２１から送られた信号を受け取ると、その信号の強度に基づいて、その信号が有効なデータを含むかどうかを判定する。そして、受信制御部８２５は、受信部８２１から送られた信号に有効なデータが含まれないと判定した場合、受信動作を停止し待機状態に移行するとともに、通信制御信号Ｓ８２を液晶コントローラ８２３に送る。そして、液晶コントローラ８２３は、通信制御信号Ｓ８２を受け取ると、表示メモリの値の更新を停止し、液晶表示部８２４に表示されている画像データをそのまま保持する。
【０１０２】
一方、送受信制御部８１０は、外部無線通信用アンテナ８０１から送信が行われていない場合、送信部８０７への通信制御信号Ｓ８１の出力を停止する。そして、送信部８０７は、送受信制御部８１０から通信制御信号Ｓ８１が出力されない場合、制御部８０４から出力された画像データを無線信号に変調し、内部無線通信用アンテナ８０８を介して送信する。そして、内部無線通信用アンテナ８０８を介して画像データが送信されると、この画像データが内部無線通信用アンテナ８２２を介して受信され、受信部８２１に入力される。
【０１０３】
そして、受信部８２１は、送信部８０７から送信された画像データを受け取ると、その信号を受信制御部８２５に送る。そして、受信制御部８２５は、受信部８２１から送られた信号を受け取ると、その信号の強度に基づいて、その信号が有効なデータを含むかどうかを判定する。そして、受信部８２１は、送信部８０７から送られた信号に有効なデータが含まれると受信制御部８２５にて判定された場合、その画像データを復調し、復調された画像データを液晶コントローラ８２３に送る。また、受信制御部８２５は、送信部８０７から送られた信号に有効なデータが含まれる判定した場合、液晶コントローラ８２３への通信制御信号Ｓ８２の出力を停止する。そして、液晶コントローラ８２３は、通信制御信号Ｓ８２の出力がない状態で、画像データを受信部８２１から受け取ると、表示データ、水平同期信号および垂直同期信号を生成する。そして、液晶コントローラ８２３は、これらの信号を液晶表示部８２４に送ることにより、画像データを液晶表示部８２４に表示させることができる。
【０１０４】
これにより、有線を利用することなく、外部無線通信用アンテナ８０１から電波が送信されているかどうかを第２筐体部Ｋ８２側で判断することが可能となるとともに、外部無線通信用アンテナ８０１を介して電波が送信されている時は、送信部８０７から受信部８２１への画像データの送信を停止させることができる。このため、回路構成の複雑化および大規模化を抑制しつつ、液晶表示部８２４に乱れた画像が表示されることを防止することが可能となる。
【０１０５】
なお、上述した実施形態では、外部無線通信機能として携帯電話を例にとって説明したが、外部無線通信は携帯電話に限定されることなく、Ｂｌｕｅｔｏｏｔｈ（登録商標）通信やＷ−ＬＡＮなどの外部無線通信機能を有する筐体間における内部無線通信ならば、どのような無線通信端末に適用してもよい。
また、上述した実施形態では、外部無線通信における送信タイミングに基づいて内部無線通信における表示データの送信制御を行う方法を例にとって説明したが、内部無線通信の通信品質を監視し、内部無線通信の通信品質に基づいて外部無線通信が行われているかどうかを判断するようにしてもよい。また、外部無線通信が行われているかどうかを判断するために、送信パワーアンプの電源ラインの揺らぎを検出するようにしてもよい。
【０１０６】
また、上述した実施形態では、外部無線通信における送信時にリフレッシュレートを変化させる方法を例にとって説明したが、外部無線通信における送信時に画像伝送レートが低下した場合、画像データの表示色数を落としたり、表示サイズを小さくしたりするなどして必要となるデータ帯域を減らし、画像伝送レートに合わせるようにしてもよい。あるいは、画像データのうちの特定の部分のみを内部無線通信にて伝送することにより、その特定の部分が高いフレームレートで更新できるようにするとともに、その他の部分は更新頻度を落としたり、バッファにあるデータを表示させたりするようにしてもよい。
【０１０７】
また、上述した実施形態では、外部無線通信用アンテナを第１筐体部に設ける方法について説明したが、外部無線通信用アンテナを第２筐体部に設けるようにしてもよい。
また、上述した実施形態では、第１筐体部と第２筐体部の位置関係が変えられるように構成された無線通信端末を例にとって説明したが、１対の内部無線通信用アンテナが同一筐体内に設けられた無線通信端末に適用するようにしてもよい。
【図面の簡単な説明】
【０１０８】
【図１】本発明の無線通信制御方法が適用されるクラムシェル型携帯電話を開いたときの状態を示す斜視図。
【図２】本発明の無線通信制御方法が適用されるクラムシェル型携帯電話を閉じたときの状態を示す斜視図。
【図３】本発明の無線通信制御方法が適用される回転式携帯電話の外観を示す斜視図。
【図４】本発明の第１実施形態に係る無線通信端末の概略構成を示すブロック図。
【図５】図４の無線部およびキャリア検出部の概略構成を示すブロック図。
【図６】図４の液晶コントローラの概略構成を示すブロック図。
【図７】ＴＤＭＡのスロット構成を示す図。
【図８】図４の無線通信端末の内部通信制御方法の第１の例を示す図。
【図９】図４の無線通信端末の内部通信制御方法の第２の例を示す図。
【図１０】本発明の第２実施形態に係る無線通信端末の概略構成を示すブロック図。
【図１１】図１０の無線通信端末の内部通信制御方法を示す図。
【図１２】本発明の第３実施形態に係る無線通信端末の構成を示すブロック図。
【図１３】本発明の第４実施形態に係る無線通信端末の構成を示すブロック図。
【図１４】本発明の第５実施形態に係る無線通信端末の構成を示すブロック図。
【図１５】本発明の第６実施形態に係る無線通信端末の構成を示すブロック図。
【図１６】本発明の第７実施形態に係る無線通信端末の構成を示すブロック図。
【図１７】本発明の第８実施形態に係る無線通信端末の構成を示すブロック図。
【符号の説明】
【０１０９】
１，２１，Ｋ１１，Ｋ２１，Ｋ３１，Ｋ４１，Ｋ５１，Ｋ６１，Ｋ７１，Ｋ８１…第１筐体部、２，２２，Ｋ１２，Ｋ２２，Ｋ３２，Ｋ４２，Ｋ５２，Ｋ６２，Ｋ７２，Ｋ８２…第２筐体部、３，２３…ヒンジ、４，２４…操作ボタン、５，２５…マイク、６，２６，１０１，２０１，３０１，４０１，５０１，６０１，７０１，８０１…外部無線通信用アンテナ、７，１０，２７，３０，１０８，１２２，２０８，２２２，３０８，３２２，４０８，４２２，５０８，５２２，６０８，６２２，７０８，７２２，８０８，８２２…内部無線通信用アンテナ、８，１１，２８…表示体、９，２９…スピーカ、１２…撮像素子、１０２，２０２，３０２，４０２，５０２，６０２，７０２，８０２…無線部、１０３，２０３，３０３，４０３，５０３，６０３，７０３，８０３…ベースバンド信号処理部、１０４，２０４，３０４，４０４，５０４，６０４，７０４，８０４…制御部、１０５，２０５，３０５，４０５，５０５，６０５，７０５，８０５…ＲＡＭ、１０６，２０６，３０６，４０６，５０６，６０６，７０６，８０６…ＲＯＭ、１０７，２０７，３０７，４０７，５０７，６０７，７０７，８０７…送信部、１０９，２０９，３０９，４０９，５０９…キャリア検出部、１１０，２１０，３１０，４１０，５１０，６１０，７１０，８１０…送受信制御部、１１１，２２３，３２３，４１１，５２３，６１１，７２３，８２３…液晶コントローラ、１２１，２２１，３２１，４２１，５２１，６２１，７２１，８２１…受信部、１２４，２２４，３２４，４２４，５２４，６２４，７２４，８２４…液晶表示部、１２１…スイッチ、１２２，１３２…パワーアンプ、１２３，１２７，１３３，１３７…混合器、１２４，１２８，１３４，１３８…フィルタ、１２５，１２９，１３５，１３９…Ａ／Ｄコンバータ、１２６，１３６…位相シフタ、１４０…加算器、１４１…ＰＬＬ回路、１４２，４４２…パワーディテクタ、１４３，４４３…コンパレータ、１５１…データバス、１５２…表示用メモリ、１５３…信号同期回路、１５４…表示タイミング発生回路、３２５，８２５…受信制御部、４１２，５１１…キャリア検出用アンテナ。
【図１】
0004618374.tif 000002
【図２】
0004618374.tif 000003
【図３】
0004618374.tif 000004
【図４】
0004618374.tif 000005
【図５】
0004618374.tif 000006
【図６】
0004618374.tif 000007
【図７】
0004618374.tif 000008
【図８】
0004618374.tif 000009
【図９】
0004618374.tif 000010
【図１０】
0004618374.tif 000011
【図１１】
0004618374.tif 000012
【図１２】
0004618374.tif 000013
【図１３】
0004618374.tif 000014
【図１４】
0004618374.tif 000015
【図１５】
0004618374.tif 000016
【図１６】
0004618374.tif 000017
【図１７】
0004618374.tif 000018